(57)【要約】【課題】乗客数に応じた割付けを行うことができるとともに、利便性の向上を図ることのできる群管理エレベータの提供。【解決手段】各階床の乗場に設けられ、乗かご７〜９に乗り込む乗客数および乗かご７〜９から降りる乗客数を検出する乗客検出手段、すなわち光センサ１３、１４と、時間帯毎の乗降乗客数データを記憶するとともに、検出した乗客数に基づき割付けるエレベータ数を判断し、かつ、乗降乗客数データに基づき時間帯毎に行き先階登録をあらかじめ行う中央演算処理部１５を備え、乗場１で待つ乗客数に基づき割付けるエレベータ数を判断し、また、時間帯毎の乗客数と利用階床とをあらかじめ記憶し、このデータに基づきエレベータ側の判断で行き先階登録を行うようにしてある。【選択図】図１
2006335512.tif 000002
【特許請求の範囲】
【請求項１】
各階床のエレベータの乗場に、乗場呼びを登録する複数の乗場呼び釦、および前記乗場呼びが登録されたことを報知する乗場呼び応答灯を備えるとともに、乗かご内に、行き先階を登録する行き先階登録釦、および行き先階登録を報知する行き先階登録応答灯を備え、複数のエレベータからサービスを実施する所定のエレベータを選択して割付ける群管理エレベータにおいて、
各階床の乗場に設けられ、前記乗かごに乗り込む乗客数および前記乗かごから降りる乗客数を検出する乗客検出手段と、時間帯毎の乗降乗客数データを記憶する履歴記憶手段と、前記乗客検出手段で検出した乗客数に基づき割付けるエレベータ数を判断する割付け手段と、前記乗降乗客数データに基づき時間帯毎に行き先階登録をあらかじめ行う事前行き先階登録手段とを備えたことを特徴とする群管理エレベータ。
【請求項２】
前記事前行き先階登録手段による行き先階登録に応じて対応する前記行き先階登録応答灯を点灯することを特徴とする請求項１記載の群管理エレベータ。
【請求項３】
前記乗場呼び応答灯は、割付けられた複数のエレベータのサービス完了時まで連続点灯することを特徴とする請求項１記載の群管理エレベータ。
【発明の詳細な説明】
【技術分野】
【０００１】
本発明は、複数のエレベータから乗場呼び登録階床にサービスを実施する所定のエレベータを選択して割付ける群管理エレベータに関する。
【背景技術】
【０００２】
この種の従来技術として、従来、例えば３台のエレベータによりサービスを行う群管理エレベータの場合、１台を建物の中間階床に待機させるとともに、１台を乗り捨てし、かつ１台をエレベータの利用頻度の高い出入口階床で待機させるようにしたものがある。
【発明の開示】
【発明が解決しようとする課題】
【０００３】
しかしながら、前述した群管理エレベータの場合、乗場呼び登録に応じ、乗場呼び登録階床に１台のエレベータを割付けることから、該乗場呼び登録階床に１台のエレベータの定員を超える待ち客がいる場合、割付けられたエレベータに乗り込むことのできなかった待ち客は再び乗場呼び釦を操作して乗場呼び登録を行う必要があり、焦燥感を与えるという問題があった。また、混雑時に満員となった乗かご内では行き先階登録釦を操作することが難しく、他の乗客を押し退けるような仕方で操作することを要したり、行き先階登録釦近傍にいる他の乗客に操作を依頼したりする必要があり、不便であった。
【０００４】
本発明は、前述した従来技術における実状からなされたもので、その目的は、乗客数に応じた割付けを行うことができるとともに、利便性の向上を図ることのできる群管理エレベータを提供することにある。
【課題を解決するための手段】
【０００５】
前記目的を達成するために、本発明の請求項１に係る発明は、各階床のエレベータの乗場に、乗場呼びを登録する複数の乗場呼び釦、および前記乗場呼びが登録されたことを報知する乗場呼び応答灯を備えるとともに、乗かご内に、行き先階を登録する行き先階登録釦、および行き先階登録を報知する行き先階登録応答灯を備え、複数のエレベータからサービスを実施する所定のエレベータを選択して割付ける群管理エレベータにおいて、各階床の乗場に設けられ、前記乗かごに乗り込む乗客数および前記乗かごから降りる乗客数を検出する乗客検出手段と、時間帯毎の乗降乗客数データを記憶する履歴記憶手段と、前記乗客検出手段で検出した乗客数に基づき割付けるエレベータ数を判断する割付け手段と、前記乗降乗客数データに基づき時間帯毎に行き先階登録をあらかじめ行う事前行き先階登録手段とを備えたことを特徴としている。
【０００６】
このように構成した本発明の請求項１に係る発明は、前記乗客検出手段により前記乗かごに乗り込む乗客数および前記乗かごから降りる乗客数を検出し、前記履歴記憶手段は時間帯毎の乗降乗客数データを履歴として記憶する。前記割付け手段は、前記乗客検出手段で検出した乗客数に基づき割付けるエレベータ数を判断する。すなわち乗場で待つ乗客数が１台のエレベータの定員未満であるときは１台のエレベータを割付け、一方、乗場で待つ乗客数が１台のエレベータの定員以上であるときは、該乗客数に応じた台数のエレベータを割付ける。また、前記事前行き先階登録手段は前記乗降乗客数データに基づき時間帯毎に行き先階登録をあらかじめ行う。すなわち、ビルによっては特定の時間帯に特定の階床にエレベータを利用して移動する乗客が多いことから、時間帯毎の乗客数と利用階床とをあらかじめ記憶し、このデータに基づきエレベータ側の判断で行き先階登録を行うものである。これによって、乗客数に応じてエレベータの割付けを行うことができるとともに、乗客が前記乗かごに乗り込んだ時点で前記事前行き先階登録手段により行き先階登録がなされていることから、前記行き先階登録釦の操作を不要とし、利便性の向上を図ることができる。
【０００７】
また、本発明の請求項２に係る発明は、前記事前行き先階登録手段による行き先階登録に応じて対応する前記行き先階登録応答灯を点灯することを特徴としている。
【０００８】
このように構成した本発明の請求項２に係る発明は、前記乗降乗客数データに基づき前記事前行き先階登録手段により乗客が前記乗かごに乗り込む前に行き先階登録が行われたとき、対応する前記行き先階登録応答灯が点灯することにより、前記乗かご内に乗り込んだ乗客は既に行き先階登録が行われていることを把握し、重複して前記行き先階登録釦を操作することを防ぐことができる。
【０００９】
また、本発明の請求項３に係る発明は、前記乗場呼び応答灯は、割付けられた複数のエレベータのサービス完了時まで連続点灯することを特徴としている。
【００１０】
このように構成した本発明の請求項３に係る発明は、割付け手段が複数のエレベータを割付けたとき、前記乗場呼び応答灯は全てのエレベータのサービス完了時まで連続点灯する。これによって、所定階床に割付けられた複数のエレベータが時間差で到着する場合であっても、乗場の乗客は複数のエレベータが割付け済みであることを把握することができる。
【発明の効果】
【００１１】
本発明は、乗場で待つ乗客数に基づき割付けるエレベータ数を判断することから、効率の良いサービスを実現し乗場での待ち時間の短縮を図ることができる。
【００１２】
また、時間帯毎に履歴として記憶された乗降乗客数データに基づき行き先階登録があらかじめなされることから、乗かごに乗り込んだ乗客は行き先階登録釦を操作する必要がなく、利便性の向上を図ることができる。
【発明を実施するための最良の形態】
【００１３】
以下、本発明に係る群管理エレベータの実施の形態を図に基づいて説明する。
【００１４】
図１は本発明の群管理エレベータの一実施形態を示す概略構成図、図２は群管理エレベータの処理手順を示すフローチャートである。
【００１５】
例えば３台のエレベータ、すなわち１号機エレベータＡ、２号機エレベータＢおよび３号機エレベータＣによりサービスを行う本実施形態の群管理エレベータは図１に示すように、エレベータＡ〜Ｃの乗場１に設けられ乗場呼びを登録する複数の乗場呼び釦２、３と、乗場１に設けられ乗場呼びが登録されたことを報知する乗場呼び応答灯４、５、６と、乗かご７、８、９内に設けられ行き先階を登録する行き先階登録釦１０、１１、１２と、乗場１に設けられ、乗かご７〜９に乗り込む乗客数を検出する第１の乗客検出手段、例えば第１の光センサ１３と、乗かご７〜９から降りる乗客数を検出する第２の乗客検出手段、例えば第２の光センサ１４と、エレベータを制御する中央演算処理部１５とを備えている。なお、前述した時間帯毎の乗降乗客数データを記憶する履歴記憶手段、乗客検出手段で検出した乗客数に基づき割付けるエレベータ数を判断する割付け手段、および乗降乗客数データに基づき時間帯毎に行き先階登録をあらかじめ行う事前行き先階登録手段は、中央演算処理部１５から成っている。また、乗かご７〜９内に設けられ行き先階登録を報知する行き先階登録応答灯は、前述した行き先階登録釦１０〜１２に具備されており、行き先階登録に応じて行き先階登録釦１０〜１２が点灯するようになっている。
【００１６】
このように構成した本実施形態の群管理エレベータあっては、第１の光センサ１３および第２の光センサ１４で検出された時間帯毎の乗降乗客数データが履歴として中央演算処理部１５に記憶される。そして、図２に示すように、手順Ｓ１として第１の光センサ１３がエレベータを利用する乗客を検出すると、手順Ｓ２として乗場呼び応答灯４〜６を点灯し乗場呼びが登録されたことを報知する。そして、中央演算処理部１５は、手順Ｓ３として第１の光センサ１３が検出した乗場１で待つ乗客数が１台のエレベータの定員未満かどうかを判断し、このとき乗客数が１台のエレベータの定員未満であることを判断すると、手順Ｓ４に示すように１台のエレベータ、例えば１号機エレベータＡを割付け、１号機エレベータＡの乗かご７が到着すると乗場呼び応答灯４〜６は消灯する。次いで、手順Ｓ５として時間帯毎に履歴として記憶した乗降乗客数データに基づき行き先階登録をあらかじめ行い、対応する階床の行き先階登録釦１０を点灯し、行き先階登録が既になされていることを乗かご７に乗り込んだ乗客に報知する。すなわち、過去の履歴である乗降乗客数データが、該ビルにあって現時間帯には、例えば４、５、１０階床の利用が多いことを示す場合、中央演算処理部１５は４、５、１０階床の行き先階登録を１号機エレベータＡに対して行うものである。この後、手順Ｓ６として行き先階登録に応じて乗かご７を対象となる階床に走行させ、到着すると行き先階登録釦１０を消灯する。
【００１７】
また、前述した手順Ｓ３で待ち客数が１台のエレベータの定員以上であることが判断されると、中央演算処理部１５は手順Ｓ７として待ち客が２台のエレベータの定員未満かどうかを判断し、このとき待ち客数が２台のエレベータの定員未満であることを判断すると、手順Ｓ８に示すように２台のエレベータ、例えば１号機エレベータＡおよび２号機エレベータＢを割付け、１号機エレベータＡの乗かご７および２号機エレベータＢの乗かご８のそれぞれが到着すると乗場呼び応答灯４〜６は消灯する。すなわち、エレベータＡ、Ｂが時間差で目的となる階床に到着した場合、遅れて到着したエレベータのサービスが完了した時点で乗場呼び応答灯４〜６を消灯する。次いで、手順Ｓ５として時間帯毎に履歴として記憶した乗降乗客数データに基づき行き先階登録をあらかじめ行い、対応する階床の行き先階登録釦１０、１１を点灯し、行き先階登録が既になされていることを乗かご７、８に乗り込んだ乗客に報知する。この後、手順Ｓ６として行き先階登録に応じて乗かご７、８を対象となる階床に走行させ、到着すると行き先階登録釦１０、１１を消灯する。
【００１８】
さらに、前述した手順Ｓ７で待ち客数が２台のエレベータの定員未満でないこと、すなわち２台のエレベータの定員以上であることが判断されると、中央演算処理部１５は手順Ｓ９に示すように１号機エレベータＡ、２号機エレベータＢおよび３号機エレベータＣを割付け、１号機エレベータＡの乗かご７、２号機エレベータＢの乗かご８および３号機エレベータの乗かご９のそれぞれが到着すると乗場呼び応答灯４〜６は消灯する。次いで、手順Ｓ５として時間帯毎に履歴として記憶した乗降乗客数データに基づき行き先階登録をあらかじめ行い、対応する階床の行き先階登録釦１０〜１２を点灯し、行き先階登録が既になされていることを乗かご７〜９に乗り込んだ乗客に報知する。この後、手順Ｓ６として行き先階登録に応じて乗かご７〜９を対象となる階床に走行させ、到着すると行き先階登録釦１０〜１２を消灯する。
【００１９】
本実施形態によれば、乗場１で待つ乗客数に基づき割付けるエレベータ数を判断することから、効率の良いサービスを実現し乗場１での待ち時間の短縮を図ることができる。また、時間帯毎に履歴として記憶された乗降乗客数データに基づき行き先階登録があらかじめなされることから、乗かご７〜９に乗り込んだ乗客は行き先階登録釦１０〜１２を操作する必要がなく、利便性の向上を図ることができる。さらに、乗客数データに基づき乗客が乗かご７〜９に乗り込む前に行き先階登録が行われたとき、対応する行き先階登録応答灯、すなわち行き先階登録釦１０〜１２が点灯することにより、乗かご７〜９内に乗り込んだ乗客は既に行き先階登録が行われていることを把握し、重複して行き先階登録釦１０〜１２を操作することを防ぐことができる。さらにまた、複数のエレベータが所定階床に割付けられたとき、乗場呼び応答灯４〜６は全てのエレベータのサービス完了時まで連続点灯することにより、所定階床に割付けられた複数のエレベータが時間差で到着する場合であっても、乗場１の乗客は複数のエレベータが割付け済みであることを把握することができる。
【００２０】
なお、本実施形態では１号機エレベータＡ、２号機エレベータＢおよび３号機エレベータＣの３台の群管理エレベータを例として説明しているが、本発明はこれに限られるものでない。
【図面の簡単な説明】
【００２１】
【図１】本発明の群管理エレベータの一実施形態を示す概略構成図である。
【図２】群管理エレベータの処理手順を示すフローチャートである。
【符号の説明】
【００２２】
１  乗場
２、３ 乗場呼び釦
４〜６  乗場呼び応答灯
７〜９  乗かご
１０〜１２  行き先階登録釦
１３  第１の光センサ（乗客検出手段）
１４  第２の光センサ（乗客検出手段）
１５  中央演算処理部（履歴記憶手段、割付け手段、先階登録手段）
【図１】
2006335512.tif 000003
【図２】
2006335512.tif 000004